(57)【要約】【課題】加熱発泡材の使用量を減らしつつ収納部から室内側への火炎の侵入を確実に防止することのできるシャッター及びシャッター付サッシを提供する。【解決手段】上枠１０と下枠１１及び左右の縦枠１２，１２を枠組みしてなる枠体１を有し、上枠１０は扉体３を支持すると共に巻き上げて収納自在な収納部２を有し、収納部２は、扉体３を巻回自在な巻取り軸２３を備えると共に、巻取り軸２３を取り囲むように室外側面と上下面及び室内側面を備え、下面には扉体３が貫通する開口部２４が形成され、開口部２４の室内側縁部には収納部２の内側に向かって伸びるアングル部５０が略全長に渡って設けられる。【選択図】図６
2014077328.tif 000002
【特許請求の範囲】
【請求項１】
上枠と下枠及び左右の縦枠を枠組みしてなる枠体を有し、前記上枠は扉体を支持すると共に巻き上げて収納自在な収納部を有するシャッターにおいて、
前記収納部は、前記扉体を巻回自在な巻取り軸を備えると共に、該巻取り軸を取り囲むように室外側面と上下面及び室内側面を備え、前記下面には前記扉体が貫通する開口部が形成され、
前記開口部の室内側縁部には前記収納部の内側に向かって伸びるアングル部が略全長に渡って設けられることを特徴とするシャッター。
【請求項２】
前記アングル部は、前記開口部の室内側縁部に当接固定される固定面部と、該固定面部から上方に立ち上がる起立面部とを有してなることを特徴とする請求項１記載のシャッター。
【請求項３】
前記アングル部の起立面部は室内側から室外側に向かって下り傾斜状の傾斜面からなることを特徴とする請求項２記載のシャッター。
【請求項４】
前記開口部の両端部には、前記扉体の端部に設けられる幅木部材を当接させる当たり部材が設けられ、前記起立面部のうち少なくとも前記当たり部材と対向する領域に加熱発泡材が設けられることを特徴とする請求項２または３記載のシャッター。
【請求項５】
サッシ枠体内に障子を納めてなり、請求項１〜４のいずれか１項に記載のシャッターを室外側に一体的に有してなることを特徴とするシャッター付サッシ。
【発明の詳細な説明】
【技術分野】
【０００１】
本発明は、建物開口部に設けられる枠体の上枠に巻回自在な扉体を納める収納部を設けたシャッター及びシャッター付サッシに関し、特に火災発生時に収納部の内部から室内側に可燃ガスが流入しないようにして防火性能を高くしたシャッター及びシャッター付サッシに関する。
【背景技術】
【０００２】
建物開口部に設けられる枠体の上枠に巻回自在な扉体を納める収納部を設けたシャッターやシャッター付サッシにおいて、高い防火性能を求められる場合がある。火災は、シャッターの室内側で発生する場合と室外側で発生する場合とがあるが、いずれの場合でも、シャッターによる室内外の遮蔽状態が維持されることが求められる。
【０００３】
シャッターの防火対策としては、収納部の室外側面に防火板を設け、建物開口部とサッシの枠体との間の隙間を塞ぐものがあった。このようなシャッターとして例えば特許文献１に挙げるようなものがある。
【先行技術文献】
【特許文献】
【０００４】
【特許文献１】特開平９−３２４３７号公報
【発明の概要】
【発明が解決しようとする課題】
【０００５】
しかし、収納部には扉体を挿通させる大きな開口部があり、開口部の縁部と扉体との間に大きな隙間を有しているので、例えば開口部の縁部と扉体の室外側面との間から可燃ガスが収納部内に侵入する可能性があった。収納部内に侵入した可燃ガスが、開口部の縁部と扉体の室内側面との間から室内側に侵入すると、室内側の空気と反応して火炎を生じることがあるため、これを防止する必要があった。
【０００６】
このため、防火性能を高めたシャッターでは、開口部の略全幅に渡る加熱発泡材を開口部近傍に設け、火災発生時には加熱発泡材を発泡させることで、開口部の縁部と扉体の室内側面との間の隙間を塞ぐようにしていた。しかし、加熱発泡材を開口部の略全幅に設けることとするのは、コストアップを招くと共に、隙間を全長に渡って確実に塞ぐことも困難であった。
【０００７】
本発明は前記課題を鑑みてなされたものであり、加熱発泡材の使用量を減らしつつ収納部から室内側への火炎の侵入を確実に防止することのできるシャッター及びシャッター付サッシを提供することを目的とする。
【課題を解決するための手段】
【０００８】
前記課題を解決するため、請求項１の発明に係るシャッターは、上枠と下枠及び左右の縦枠を枠組みしてなる枠体を有し、前記上枠は扉体を支持すると共に巻き上げて収納自在な収納部を有するシャッターにおいて、
前記収納部は、前記扉体を巻回自在な巻取り軸を備えると共に、該巻取り軸を取り囲むように室外側面と上下面及び室内側面を備え、前記下面には前記扉体が貫通する開口部が形成され、
前記開口部の室内側縁部には前記収納部の内側に向かって伸びるアングル部が略全長に渡って設けられることを特徴として構成されている。
【０００９】
請求項１に係る発明によれば、火災発生時に収納部内の可燃ガスが室内側に流入するのを遮断すると共に、室内側の空気が収納部内に流入することも遮断することができる。
【００１０】
また、請求項２の発明に係るシャッターは、前記アングル部は、前記開口部の室内側縁部に当接固定される固定面部と、該固定面部から上方に立ち上がる起立面部とを有してなることを特徴として構成されている。
【００１１】
請求項２に係る発明によれば、可燃ガスを遮断するための形状を容易に形成することができる。
【００１２】
さらに、請求項３の発明に係るシャッターは、前記アングル部の起立面部は室内側から室外側に向かって下り傾斜状の傾斜面からなることを特徴として構成されている。
【００１３】
請求項３に係る発明によれば、より効果的に収納部内と室内側とを遮断することができる。
【００１４】
さらにまた、請求項４の発明に係るシャッターは、前記開口部の両端部には、前記扉体の端部に設けられる幅木部材を当接させる当たり部材が設けられ、前記起立面部のうち少なくとも前記当たり部材と対向する領域に加熱発泡材が設けられることを特徴として構成されている。
【００１５】
請求項４に係る発明によれば、火災発生時には加熱発泡材によって当たり部材を覆うことができるので、当たり部材が溶融して流出し、着火または発火することを防止することができる。
【００１６】
そして、請求項５の発明に係るシャッター付サッシは、サッシ枠体内に障子を納めてなり、前記いずれかのシャッターを室外側に一体的に有してなることを特徴として構成されている。
【発明の効果】
【００１７】
本発明に係るシャッター及びシャッター付サッシによれば、長手方向に渡る加熱発泡材がなくても、アングル部により収納部と室内側との間で可燃ガスの流通を遮断することができ、収納部から室内側への火炎の侵入を確実に防止することができる。
【図面の簡単な説明】
【００１８】
【図１】本実施形態におけるシャッターの縦断面図である。
【図２】本実施形態におけるシャッターの横断面図である。
【図３】図１のうち収納部付近の拡大図である。
【図４】収納部を構成する部品の分解斜視図である。
【図５】下側部材とアングル部の分解斜視図である。
【図６】火災発生時の状態における収納部付近の拡大断面図である。
【発明を実施するための形態】
【００１９】
本発明の実施形態について図面に沿って詳細に説明する。図１には本実施形態におけるシャッターの縦断面図を、図２には本実施形態におけるシャッターの横断面図を、それぞれ示している。これら各図に示すように、本実施形態のシャッターは、箱状を有する収納部２を有する上枠１０と下枠１１及び左右の縦枠１２，１２を方形状に枠組みした枠体１を有してなるものであり、この枠体１が建物開口部の室外側部分に取付けられる。
【００２０】
収納部２は、上面２０と下面２１及び側面２２を有しており、側面２２には巻き取り軸２３が回動自在に取付けられていて、多数のスラット３０を上下方向に連結してなる扉体３を巻回可能としており、収納部２内に扉体３を収納可能となるように構成されている。扉体３は、収納部２の下部に形成された開口部２４から下方に引き出し自在となっている。なお、図１は扉体３を引き出して全閉とした状態を表している。
【００２１】
収納部２を有する上枠２０は、上面２０を構成する上側部材１５と、下面２１を構成する下側部材１６とを有し、収納部２はさらに、側面２２を構成する側面部材１８と、上側部材１５から収納部２の室外側面を構成するカバー部材１７と、上側部材１５と下側部材１６の間に設けられて収納部２の室内側面を構成する背面部材１９とを有している。これらカバー部材１７と上側部材１５、背面部材１９及び下側部材１６によって、巻き取り軸２３を取り囲むように空間状の収納部２が形成される。
【００２２】
縦枠１２の室外側には、扉体３の左右端部を上下方向に案内するガイドレール部材１３が設けられている。扉体３の下端部には、ガイドレール部材１３間の略全長に渡る幅を有した幅木部材３１が設けられる。幅木部材３１は、面状に形成された室外面部３１ａの室外側に、逆Ｌ字状に突出する一体的な把手部３１ｂを有している。
【００２３】
下枠１１の室外側部には、幅木部材３１を納めることができる凹状の溝部１１ａが形成されている。幅木部材３１を枠体１の下端部に配置することで、幅木部材３１が溝部１１ａに納められると共に、溝部１１ａを構成する下枠１１の室外側面１１ｂを、幅木部材３１の把手部３１ｂが跨いだ状態となる。
【００２４】
図３には、図１のうち収納部２付近の拡大図を示している。収納部２の開口部２４は、室内側の縁部が下側部材１６の室外端部によって構成され、室外側の縁部がカバー部材１７の下端部によって構成されている。開口部２４の室外側の縁部には、長手方向に沿ってモヘア部材２５が設けられ、扉体３の室外側面に当接している。
【００２５】
開口部２４の室外側の縁部となるカバー部材１７の内面下端部には、開口部２４の長手方向に沿って支持体４０が設けられている。支持体４０は、カバー部材１７の内面形状に略沿う外形状を有した断面中空状に形成され、その中空内部には、開口部２４の室外側縁部を補強するため開口補強材４１が設けられている。また、支持体４０の室内側面には、前述のモヘア部材２５が固定される。
【００２６】
収納部２を構成する下側部材１６の室外端部１６ａは、収納部２の開口部２４のうち室内側縁部を構成する。この下側部材１６の室外端部１６ａには、長手方向に沿って金属製のアングル部５０が設けられる。アングル部５０は、下側部材１６の室外端部１６ａに対して当接固定される固定面部５０ａと、固定面部５０ａから上方に立ち上がる起立面部５０ｂとを有して構成されている。
【００２７】
アングル部５０の起立面部５０ｂは、室内側から室外側に向かって下り傾斜状の傾斜面となっている。起立面部５０ｂの長手方向両端部付近には、それぞれ加熱発泡材５１がリベット止め固定されている。加熱発泡材５１は、シート状に形成され所定温度以上になると体積が数十倍に増加するものである。
【００２８】
図４には、収納部２を構成する部品の分解斜視図を示している。この図では、カバー部材１７については省略している。収納部２は、室内側面を構成する背面部材１９と、両側の側面を構成する側面部材１８とを有し、側面部材１８間には前述の支持体４０が渡される。
【００２９】
側面部材１８は、内面側に巻き取り軸２３を支持する軸支持部１８ａを有し、下端部から収納部２内に下面張出部１８ｂが張り出している。側面部材１８はスチール製であり、支持体４０及び開口補強材４１は、側面部材１８に対してネジ止め固定される。
【００３０】
側面部材１８には、開口部２４の扉体３よりも室内側となる部分の両端部に、下方に向かって面するようにゴム製の当たり部材２６が設けられている。当たり部材２６は、幅木部材３１を上端まで上げた際に、金属製の幅木部材３１に当たって、金属材同士が衝突しないようにするものである。
【００３１】
図５には、下側部材１６とアングル部５０の分解斜視図を示している。この図に示すように、アングル部５０は下側部材１６の長手方向略全長に渡る長さを有している。また、アングル部５０の両端部にはそれぞれ加熱発泡材５１が設けられている。一方、アングル部５０の中央部には、加熱発泡材５１は設けられていない。加熱発泡材５１は、少なくとも長手方向において側面部材１８に設けられる当たり部材２６と対向する領域に設けられる。
【００３２】
図６には、火災発生時の状態における収納部２付近の拡大断面図を示している。火災が発生してシャッターが高温に晒されると、収納部２内の樹脂部品が溶融して、収納部２内に可燃ガスが発生することがある。収納部２は、巻き取り軸２３を取り囲むように上下面と室内側面及び室外側面を有しているから、可燃ガスは巻き取り軸２３を回り込みながら開口部２４の室内側部に向かって流れていく。
【００３３】
一方、開口部２４の室内側端部に設けられたアングル部５０の起立面部５０ｂが、可燃ガスの室内側への侵入を妨害するように起立しているため、巻き取り軸２３に沿った可燃ガスの流れを遮ることができる。また、室内側の空気が収納部２内に流れ込むことも遮ることができ、収納部２内及び室内側における可燃ガスの発火を防止することができる。特に、アングル部５０の起立面部５０ｂが、垂直面よりも室内側に傾倒した傾斜面とされているので、より効果的に可燃ガスを遮断することができる。
【００３４】
また、アングル部５０の両端部に設けられた加熱発泡材５１が発泡することで、対向する当たり部材２６を加熱発泡材５１で覆ってしまうことができ、ゴム製の当たり部材２６が溶融して流出することを防止することができる。これによって、当たり部材２６の発火や着火を防止することができる。
【００３５】
以上、本発明の実施形態について説明したが、本発明の適用は本実施形態には限られず、その技術的思想の範囲内において様々に適用されうるものである。本実施形態では、枠体１を有するシャッターについて説明したが、このシャッターは、方形状に枠組みされたサッシ枠体内に障子を納めてなるサッシの室外側に一体化されたシャッター付サッシに用いられるものである。
【符号の説明】
【００３６】
１    枠体
２    収納部
３    扉体
１０    上枠
１１    下枠
１２    縦枠
１３    ガイドレール部材
１５    上側部材
１６    下側部材
１７    カバー部材
１８    側面部材
１９    背面部材
２３    巻き取り軸
２４    開口部
２５    モヘア部材
２６    当たり部材
３０    スラット
３１    幅木部材
４０    支持体
５０    アングル部
５０ａ  固定面部
５０ｂ  起立面部
５１    加熱発泡材
【図１】
2014077328.tif 000003
【図２】
2014077328.tif 000004
【図３】
2014077328.tif 000005
【図４】
2014077328.tif 000006
【図５】
2014077328.tif 000007
【図６】
2014077328.tif 000008